(57)【要約】【課題】紙類を綴じていない場合であっても収納棚にバインダを整然と並べて収納することを可能にするバインダ保持具及び収納棚を提供する。【解決手段】弾性変形が可能な板状部材１１と、板状部材１１の一面側に設けられており、板状部材１１を棚板に固着させる粘着シート１２と、板状部材１１の他面側に設けられており、紙類を綴じるバインダの表紙を保持する複数の線状切込部１３とを備えてバインダ保持具１を構成する。また、収納棚の棚板にバインダ保持具１を固着する。【選択図】図１
2009201598.tif 000002
【特許請求の範囲】
【請求項１】
収納棚に収納されるべきバインダの表紙を保持するバインダ保持具であって、
弾性変形が可能な板状部材と、
該板状部材の一面側に設けられており、前記板状部材を棚板に固着させる固着部材と、
前記板状部材の他面側に設けられており、バインダの表紙を保持する複数の線状切込部と
を備えることを特徴とするバインダ保持具。
【請求項２】
少なくとも２本の前記線状切込部の長手方向は非平行である
ことを特徴とする請求項１に記載のバインダ保持具。
【請求項３】
厚さ方向における前記線状切込部の切り込みの深さは、該線状切込部の長手方向の一端側が他端側に比べて深い
ことを特徴とする請求項１又は請求項２に記載のバインダ保持具。
【請求項４】
前記板状部材は、
他の板状部材と連結するための連結部を備える
ことを特徴とする請求項１乃至請求項３のいずれか一つに記載のバインダ保持具。
【請求項５】
前記板状部材の前記他面は略長方形をなし、
前記連結部は、連結凸部及び連結凹部を備え、
前記連結凸部は、
前記板状部材の長手方向一端側の側面から該長手方向へ突出しており、厚さ方向から見た断面が凸形状をなす板状部分を有し、
前記連結凹部は、
前記板状部材の長手方向他端側の側面から該長手方向に凹み、厚さ方向から見た断面が前記凸形状に倣う凹形状をなす板状部分を有する
ことを特徴とする請求項４に記載のバインダ保持具。
【請求項６】
前記板状部材及び固着部材間に介装されており、該板状部材を補強する補強板を有する
ことを特徴とする請求項１乃至請求項５のいずれか一つに記載のバインダ保持具。
【請求項７】
前記板状部材の側面は、前記一面側に比べて滑らかである
ことを特徴とする請求項１乃至請求項６のいずれか一つに記載のバインダ保持具。
【請求項８】
各線状切込部間にＲＦタグを備える
ことを特徴とする請求項１乃至請求項７のいずれか一つに記載のバインダ保持具。
【請求項９】
バインダが載置される棚板と、
請求項１乃至請求項７のいずれか一つに記載のバインダ保持具と
を備え、
前記バインダ保持具は、前記線状切込部の長手方向が前記棚板の略前後方向を向くように前記棚板に固着されている
ことを特徴とする収納棚。
【請求項１０】
前記バインダ保持具は、
前記棚板の前後方向略中央部と前端部との間に固着されている
ことを特徴とする請求項９に記載の収納棚。
【請求項１１】
前記棚板は、上下に複数並設されており、
前記板状部材の厚さ方向における前記線状切込部の前部分の切り込み深さは、下方の棚板に固着されたバインダ保持具の方が、上方の棚板に固着されたバインダ保持具に比べて浅い
ことを特徴とする請求項９又は請求項１０に記載の収納棚。
【発明の詳細な説明】
【技術分野】
【０００１】
本発明は、収納棚にバインダを整然と並べて収納することを可能にするバインダ保持具、及び該バインダ保持具が棚板に固着された収納棚に関する。
【背景技術】
【０００２】
文書を整理、保管する事務用品としてバインダ及びファイル（以下、バインダと総称する）が用いられている。紙類を綴じ込んだバインダは収納棚に収納されて保管、管理される。
【０００３】
一方、バインダ、書籍等の収納を補助する事務用品が提案されている。特許文献１には、本棚に収納された書籍、バインダ等の横滑りを防止する滑り止めシートが開示されている。特許文献１に係る滑り止めシートは、機械発泡により発泡させた合成樹脂性発泡体層をシート状基材の両面に形成してなり、該合成樹脂性発泡層には複数の線状の凹部滑り止め溝が形成されている。特許文献１に係る滑り止めシートに依れば、バインダ、書籍の横滑り及び転倒を防止することができる。
【特許文献１】特開平８−３１７８５０号公報
【発明の開示】
【発明が解決しようとする課題】
【０００４】
しかしながら、紙類を綴じていない複数のバインダを本棚に収納した場合、滑り止めシートによって横滑りを防止することはできるものの、バインダの形状が三角柱状であるため、一部のバインダが本棚の奥の方に入り込んでしまい、横方向に整列しないという問題があった。
【０００５】
図１５は、バインダを本棚に収納する際に生ずる問題点を示す説明図である。図１５（ａ）は、紙類が綴じ込まれたバインダ、書籍等を本棚に収納した状態を示しており、図１５（ｂ）は、紙類が綴じ込まれていないバインダを本棚に収納した状態を示している。図１５（ａ）に示すように、十分な紙類が綴じ込まれ、バインダが略直方体状をなしている場合、バインダは書籍と同様、本棚に整然と並べて収納することができる。ところが、図１５（ｂ）に示すように、バインダに十分な紙類が綴じ込まれていない場合、バインダは三角柱状となるため、一部のバインダが奥の方に入り込んでしまう。
【０００６】
本発明は斯かる事情に鑑みてなされたものであり、弾性変形が可能な板状部材に、バインダの表紙を保持する線状切込部を設けることにより、紙類を綴じていない場合であっても収納棚にバインダを整然と並べて収納することを可能にするバインダ保持具及び収納棚を提供することを目的とする。
【０００７】
本発明の他の目的は、２本の前記線状切込部の長手方向を非平行に構成することにより、バインダが略台形柱状乃至三角形状になるように表紙を保持することができ、バインダに綴じ込まれた紙類が重力で撓むことを防止することができるバインダ保持具及び収納棚を提供することにある。
【０００８】
本発明の他の目的は、線状切込部の底部分が長手方向に沿って傾斜するように構成することにより、収納棚に収納されるバインダの背見出しの俯仰角度を選択することができるバインダ保持具及び収納棚を提供することにある。
【０００９】
本発明の他の目的は、複数の板状部材を連結するための連結部を備えることにより、収納棚の寸法に応じてバインダ保持具の寸法を適宜調整することができるバインダ保持具及び収納棚を提供することを目的とする。
【００１０】
本発明の他の目的は、板状部材と固着部材との間に補強板を介装することにより、取り扱い性を向上させることができるバインダ保持具及び収納棚を提供することを目的とする。
【００１１】
本発明の他の目的は、板状部材の側面を滑らかに形成することにより、板状部材の側面にラベルシールを貼着することができ、バインダの収納管理を容易にすることができるバインダ保持具及び収納棚を提供することを目的とする。
【００１２】
本発明の他の目的は、各線状切込部間にＲＦタグを備えることにより、ＲＦタグにてバインダの収納管理を支援することができるバインダ保持具及び収納棚を提供することを目的とする。
【００１３】
本発明の他の目的は、棚板の前後方向略中央部と、前端部との間にバインダ保持具を固着することにより、より効果的にバインダを整然と並べて収納することを可能にする収納棚を提供することにある。
【００１４】
本発明の他の目的は、バインダ保持具が固着された複数の棚板を上下に並設し、下方の棚板に固着されたバインダ保持具に設けられた線状切込部の前部分の切り込み深さが、上方の棚板に固着されたバインダ保持具の線状切込部に比べて浅くなるように構成することにより、下方の棚板に収納されたバインダの背見出しが、上方の棚板に収納されたバインダに比べて上方を仰ぐように各バインダを保持させることができ、バインダの見出しを見やすく収納することができる収納棚を提供することにある。
【課題を解決するための手段】
【００１５】
第１発明に係るバインダ保持具は、収納棚に収納されるべきバインダの表紙を保持するバインダ保持具であって、弾性変形が可能な板状部材と、該板状部材の一面側に設けられており、前記板状部材を棚板に固着させる固着部材と、前記板状部材の他面側に設けられており、バインダの表紙を保持する複数の線状切込部とを備えることを特徴とする。
【００１６】
第２発明に係るバインダ保持具は、少なくとも２本の前記線状切込部の長手方向は非平行であることを特徴とする。
【００１７】
第３発明に係るバインダ保持具は、厚さ方向における前記線状切込部の切り込みの深さは、該線状切込部の長手方向の一端側が他端側に比べて深いことを特徴とする。
【００１８】
第４発明に係るバインダ保持具は、前記板状部材は、他の板状部材と連結するための連結部を備えることを特徴とする。
【００１９】
第５発明に係るバインダ保持具は、前記板状部材の前記他面は略長方形をなし、前記連結部は、連結凸部及び連結凹部を備え、前記連結凸部は、前記板状部材の長手方向一端側の側面から該長手方向へ突出しており、厚さ方向から見た断面が凸形状をなす板状部分を有し、前記連結凹部は、前記板状部材の長手方向他端側の側面から該長手方向に凹み、厚さ方向から見た断面が前記凸形状に倣う凹形状をなす板状部分を有することを特徴とする。
【００２０】
第６発明に係るバインダ保持具は、前記板状部材及び固着部材間に介装されており、該板状部材を補強する補強板を有することを特徴とする。
【００２１】
第７発明に係るバインダ保持具は、前記板状部材の側面は、前記一面側に比べて滑らかであることを特徴とする。
【００２２】
第８発明に係るバインダ保持具は、各線状切込部間にＲＦタグを備えることを特徴とする。
【００２３】
第９発明に係る収納棚は、バインダが載置される棚板と、請求項１乃至請求項７のいずれか一つに記載のバインダ保持具とを備え、前記バインダ保持具は、前記線状切込部の長手方向が前記棚板の略前後方向を向くように前記棚板に固着されていることを特徴とする。
【００２４】
第１０発明に係る収納棚は、前記バインダ保持具は、前記棚板の前後方向略中央部と前端部との間に固着されていることを特徴とする。
【００２５】
第１１発明に係る収納棚は、前記棚板は、上下に複数並設されており、前記板状部材の厚さ方向における前記線状切込部の前部分の切り込み深さは、下方の棚板に固着されたバインダ保持具の方が、上方の棚板に固着されたバインダ保持具に比べて浅いことを特徴とする。
【００２６】
第１及び第９発明にあっては、板状部材は固着部材によって収納棚の棚板に固着される。板状部材の向きは、線状切込部の長手方向が棚板の略前後方向を向くようにする。板状部材は弾性変形が可能で、他面側に線状切込部が設けられているため、収納棚に収納されたバインダの表紙は、バインダ保持具の他面側の線状切込部に挟み込まれるようにして保持される。従って、収納棚にバインダを整然と並べて収納することが可能になる。
なお、バインダ保持具が保持するバインダは、広義のバインダであり、未記録の用紙を保持する狭義のバインダと、記録済みの文書を保持するファイルとを含む概念である。
【００２７】
第２発明にあっては、少なくとも２本の線状切込部の長手方向は非平行であるため、各線状切込部にバインダの表紙を保持させた場合、バインダは台形柱状乃至三角柱状に保たれる。
【００２８】
第３発明にあっては、厚さ方向における前記線状切込部の深さは、該線状切込部の長手方向の一端側が他端側に比べて深いため、前記一端側が棚板の前方又は後方のいずれかを向くように板状部材を棚板に固着することで、収納棚に収納されたバインダの背見出しが見やすくなるように、バインダ背見出しの俯仰角度を選択することが可能になる。
【００２９】
第４及び第５発明にあっては、板状部材は連結部、例えば連結部として連結凸部と連結凹部とを備えているため、複数のバインダ保持具を連結することができる。従って、棚板の寸法に応じて、バインダ保持具群の寸法を適宜調整することが可能になる。
なお、厚さ方向から見た断面が凸形状をなす板状部分は、厚さ方向両端に亘って凸形状が形成されている場合と、厚さ方向の途中に凸形状が形成されている場合との両方を含む。同様に、厚さ方向から見た断面が凹形状をなす板状部分は、厚さ方向両端に亘って凹形状が形成されている場合と、厚さ方向の途中に凹形状が形成されている場合との両方を含む。
また、厚さ方向から見た断面とは、図１０における横断面を意味する。つまり、板状部材の最も広い面に対して略平行な仮想面で該板状部材を切断して得られる断面を意味する。
【００３０】
第６発明にあっては、板状部材及び固着部材間に介装された補強板を備えているため、バインダ保持具の取り扱い性が向上する。
【００３１】
第７発明にあっては、板状部材の側面は、前記一面側に比べて滑らかである。従って、板状部材の側面にラベルシールを貼着することが可能になる。ラベルシールを貼着することで、バインダの収納場所を管理することができる。
【００３２】
第８発明にあっては、線状切込部間に備えられたＲＦタグは、収納棚に収納されるべきバインダの管理を支援することを可能にする。
【００３３】
第１０発明にあっては、バインダ保持具は、棚板の前後方向略中央部と前端部との間に固着されている。バインダ保持具を棚板の前後方向後側に配した場合、バインダが奥に入り込む際に線状切込部に加わるトルクが大きくなり、バインダを効果的に保持することができなくなる。また、バインダ保持具を棚板の前端部に配した場合、バインダの背見出しがバインダ保持具に乗り掛かることになるため、バインダを効果的に保持することができない。従って、本発明のようにバインダ保持具を配することで、バインダの開度を効果的に保つことができ、バインダの横移動、転倒を効果的に防止することができる。
【００３４】
第１１発明にあっては、バインダ保持具が固着された棚板が上下に複数並設されている。厚さ方向における前記線状切込部の前部分の切り込み深さは、下方の棚板に固着されたバインダ保持具の方が、上方の棚板に固着されたバインダ保持具に比べて浅い。従って、上方の棚板に収納されたバインダの背見出しは俯き傾向になり、下方の棚板に収納されたバインダの背見出しは仰向き傾向になる。このため、収納棚に収納されたバインダの背見出しが見やすくなる。
【発明の効果】
【００３５】
第１及び第９発明にあっては、紙類を綴じていない場合であっても収納棚にバインダを整然と並べて収納することができる。
【００３６】
第２発明にあっては、本棚に収納されたバインダが台形柱状乃至三角柱状になるように表紙を保持することができ、バインダに綴じ込まれた紙類が重力で撓むことを防止することができる。
【００３７】
第３発明にあっては、収納棚に収納されるバインダの見出部分の俯仰角度を選択することができる。
【００３８】
第４及び第５発明にあっては、収納棚の寸法に応じてバインダ保持具の寸法を適宜調整することができる。
【００３９】
第６発明にあっては、バインダ保持具の取り扱い性を向上させることができる。
【００４０】
第７発明にあっては、板状部材の側面にラベルシールを貼着することができ、バインダの収納管理を容易にすることができる。
【００４１】
第８発明にあっては、ＲＦタグにてバインダの収納管理を支援することができる。
【００４２】
第１０発明にあっては、より効果的にバインダを収納棚に整然と並べて収納することができる。
【００４３】
第１１発明にあっては、下方の棚板に収納されたバインダの背見出しが、上方の棚板に収納されたバインダに比べて上方を向くように各バインダを保持することができ、バインダの見出しを見やすく収納することができる。
【発明を実施するための最良の形態】
【００４４】
以下、本発明をその実施の形態を示す図面に基づいて詳述する。
（実施の形態１）
図１は、本発明の実施の形態１に係るバインダ保持具を模式的に示す斜視図である。図中１は、本発明の実施の形態１に係るバインダ保持具である。バインダ保持具１は、弾性変形が可能な偏平横長略直方体の板状部材１１を備えている。板状部材１１は、例えば合成樹脂製のスポンジにて形成されており、長方形状の底面部１１ａ、底面部１１ａに対して略垂直に形成された側面部１１ｂ、及び底面部１１ａに略平行な上面部１１ｃを有している。板状部材１１の厚みは、約５ｍｍである。板状部材１１の長手方向の寸法は、設置される棚板２１の横幅に応じて適宜選択すれば良い。また、上面部１１ｃの短辺方向寸法は、バインダ３の表紙３１を保持することが可能な寸法、例えば２〜３ｃｍである（図４参照）。
【００４５】
板状部材１１の底面部１１ａには、板状部材１１を棚板２１に固着するための粘着シート１２（固着手段）が設けられている。粘着シート１２は、底面部１１ａと略同形状である。使用前においては、粘着シート１２の表面に保護シートが貼着されている。
【００４６】
板状部材１１の上面部１１ｃには、その長手方向が上面部１１ｃの短辺方向を向き、上面部１１ｃの短辺方向両端及び側面部１１ｂに亘る複数の線状切込部１３が形成されている。各線状切込部１３の長手方向は略同一方向を向いており、上面部１１ｃの長手方向に等間隔で並んでいる。また、厚さ方向における各線状切込部１３の切り込み深さは均一であり、板状部材１１が切断しない程度の深さである。
【００４７】
図２は、バインダ保持具１が固着された収納棚を模式的に示す斜視図である。収納棚は、図示しない地板と、該地板に立設された２枚の側板２２及び背面板２３と、バインダ３、書籍等が載置される複数の棚板２１と、側板２２及び背面板２３の上端に設けられた天板２４（図３参照）とを備えている。
【００４８】
バインダ保持具１は、棚板２１の前後方向略中央部と前端部との間に配されており、線状切込部１３の長手方向が収納棚の前後方向を向くように、粘着シート１２で固着されている。
【００４９】
図３は、収納棚の使用例を示す正面図、図４は、収納棚の使用例を示す横断面図、図５は、収納棚の使用例を示す縦断側面図である。収納棚に収納されたバインダ３の表紙３１は、バインダ保持具１に設けられた線状切込部１３のいずれかに挟み込まれるようにして保持される。例えば、図４に示すようにバインダ３の表紙３１は、バインダ３が略直方体乃至台形柱状になるような開度で保持されている。
【００５０】
実施の形態１に係るバインダ保持具１及び収納棚にあっては、収納棚に固着されたバインダ保持具１は、バインダ３の表紙３１を保持することによって、バインダ３が収納棚の奥の方へ入り込んでいくことを防止することができる。従って、紙類を綴じていない場合であっても、複数のバインダ３を横方向に整然と並べて収納することができる。
【００５１】
また、各線状切込部１３の長手方向は略平行であるため、バインダ３の表紙３１を線状切込部１３に嵌め込むことによって、バインダ３を書籍のように略直方体に保つことができ、書籍と同様にバインダ３を整然と収納することができる。
【００５２】
更に、板状部材１１はスポンジで構成されているため、バインダ保持具１が備え付けられた収納棚に、バインダ３と共に書籍を収納することもできる。
【００５３】
更にまた、板状部材１１は粘着シート１２を備えているため、容易にバインダ保持具１を棚板２１に設けることができ、また除去することもできる。
【００５４】
更にまた、線状切込部１３を備えた簡単な構造であるため、あらゆるバインダ３、ファイルの収納に本発明を適用することができる。
【００５５】
更にまた、スポンジに粘着シート１２と、線状切込部１３とを設けるだけの簡単な構成であるため、極めて低コストでバインダ保持具１を製造することができる。
【００５６】
更にまた、バインダ保持具１によってバインダ３の表紙３１を保持しているため、地震時にバインダ３が収納棚から落下、転倒することを防止することができる。
【００５７】
なお、本発明にあっては、粘着シートにてバインダ保持具を棚板に固着するように構成してあるが、摩擦係数が高い合成樹脂、両面テープ、磁石等を板状部材の設置面側に設けるように構成しても良い。
【００５８】
また、板状部材の材料として合成樹脂製のスポンジを例示したが、バインダの表紙が線状切込部に挟み込まれて保持される程度の弾性を有する材質であれば、他の材質を用いても良い。
【００５９】
更に、線状切込部の形状、間隔、方向は一例であり、バインダが収納棚の奥に入り込むことを防止することができる構成であれば、他の形状であっても良い。
【００６０】
更に、バインダ保持具を収納棚の前側に設ける例を示したが、バインダが収納棚の奥に入り込むことを防止することができるようであれば、棚板の前後方向略中央部、又は後方に配しても良い。
更にまた、バインダとして狭義のバインダを例示したが、狭義のバインダのみならず、ファイル、ハードカバーの書籍等、表紙がある程度硬度を有するものであれば、バインダと同様に収納管理することも可能である。
【００６１】
（実施の形態２）
図６は、本発明の実施の形態２に係るバインダ保持具２０１を模式的に示す斜視図である。本発明の実施の形態２に係るバインダ保持具２０１は、実施の形態１と同様の板状部材２１１と、板状部材２１１の底面部２１１ａに設けられた粘着シート１２とを備えている。板状部材２１１の上面部２１１ｃには、斜めに十字交叉した２本の線状切込部２１３ａ、２１３ｂが設けられている。各線状切込部２１３ａ、２１３ｂの長手方向は、上面部２１１ｃの短辺方向に対して鋭角をなしており、上面部２１１ｃの短辺方向両端及び側面部２１１ｂに亘って形成されている。また、同様に十字交叉した線状切込部２１３ａ、２１３ｂが板状部材２１１の長手方向に沿って複数組形成されている。
【００６２】
図７は、本発明の実施の形態２に係るバインダ保持具２０１の効果を示す説明図である。図７（ａ）は、略平行の線状切込部を複数形成されたバインダ保持具２０１でバインダ３を保持している状態を示しており、図７（ｂ）は、斜めに十字交叉した線状切込部２１３ａ、２１３ｂが形成されたバインダ保持具２０１でバインダ３を保持した状態を示している。線状切込部が略平行である場合、バインダ保持具２０１に保持されたバインダ３は略直方体形状となる。バインダ３に綴じられた紙類が少量にも拘わらず、バインダ３が略直方体形状に保持された場合、バインダ３に綴じられた紙類が重力で撓んで変形してしまうという問題が生ずる。ところが、図７（ｂ）に示すように、線状切込部２１３ａ、２１３ｂが斜めに十字交叉している場合、バインダ保持具２０１に保持されたバインダ３は台形柱状乃至三角柱状になるため、バインダ３が適度な開度で紙類を挟み込むことができ、紙類が撓んで変形してしまうことを効果的に防止することができる。
【００６３】
実施の形態２に係るバインダ保持具２０１の他の構成、作用及び効果は実施の形態１に係るバインダ保持具１と同様であるため、対応する箇所には同様の符号を付してその詳細な説明を省略する。
【００６４】
（実施の形態３）
図８は、本発明の実施の形態３に係るバインダ保持具３０１を示す側面図である。実施の形態３に係るバインダ保持具３０１は、実施の形態１と同様の板状部材３１１と、板状部材３１１の底面部３１１ａに設けられた粘着シート１２とを備えている。板状部材３１１の上面部３１１ｃには、その長手方向が板状部材３１１の長手方向に交叉する複数の線状切込部３１３が形成されている。図８に示した破線は、線状切込部３１３を示している。実施の形態３に係る線状切込部３１３は、厚さ方向（図８上下方向）における深さが、線状切込部３１３の長手方向一端側に比べ、他端側の方が深くなるように斜めに形成されている。
【００６５】
図９は、バインダ保持具３０１が固着された収納棚を模式的に示す縦断側断面図である。図９（ａ）は、バインダ３収納前の収納棚、図９（ｂ）は、バインダ３収納後の収納棚を模式的に示している。実施の形態３に係る収納棚は、バインダ保持具３０１が固着された複数の棚板２１が上下に複数並設されている。厚さ方向における線状切込部３１３の前部分の切り込み深さは、下方の棚板２１に固着されたバインダ保持具３０１の方が、上方の棚板２１に固着されたバインダ保持具３０１に比べて浅くなるように構成されている。
【００６６】
実施の形態３に係るバインダ保持具３０１にあっては、バインダ保持具３０１の固着方向を選択することによって、収納棚に収納されるバインダ３の見出部分の俯仰角度を選択することができ、バインダ３の見出しを見やすく収納することができる。
【００６７】
また、実施の形態３に係る収納棚にあっては、下方の棚板２１に収納されたバインダ３の背見出しが、上方の棚板２１に収納されたバインダ３に比べて上方を仰ぐように各バインダ３を保持することができ、バインダ３の見出しを見やすく収納することができる。
【００６８】
実施の形態３に係るバインダ保持具３０１の他の構成、作用及び効果は実施の形態１に係るバインダ保持具１と同様であるため、対応する箇所には同様の符号を付してその詳細な説明を省略する。
【００６９】
（実施の形態４）
図１０は、本発明の実施の形態４に係るバインダ保持具４０１を模式的に示す斜視図である。実施の形態４に係るバインダ保持具４０１は、実施の形態１と同様の板状部材４１１と、板状部材４１１の底面部４１１ａに設けられた粘着シート１２とを備えている。実施の形態４に係るバインダ保持具４０１は、上面部４１１ｃに実施の形態１と同様の線状切込部４１３を有し、更に板状部材４１１の長手方向一端側の側面部４１１ｂに設けられた連結凸部（連結部）４１４と、板状部材４１１の長手方向他端側の側面部４１１ｂに設けられた連結凹部（連結部）４１５とを備えている。連結凸部４１４と、連結凹部４１５とは互いに嵌め合いの関係にある。より詳細には、連結凸部４１４は、板状部材４１１の長手方向一端側の側面部４１１ｂから該長手方向へ突出しており、板状部材４１１の厚さ方向から見た断面が凸形状をなす板状部分を有している。また、連結凹部４１５は、板状部材４１１の長手方向他端側の側面部４１１ｂから該長手方向に凹み、板状部材４１１の厚さ方向から見た断面が連結凸部４１４の凸形状に倣う凹形状をなす板状部分を有している。
【００７０】
図１１は、バインダ保持具４０１の使用方法を示す説明図である。同形状のバインダ保持具４０１を複数用意し、一のバインダ保持具４０１の連結凸部４１４と、他のバインダ保持具４０１の連結凹部４１５とを嵌め合わせることによって、各バインダ保持具４０１を連結し、長手方向を延長することができる。複数のバインダ保持具４０１は、連結凸部４１４及び連結凹部４１５によって連結し、また連結されたバインダ保持具４０１を分離することができるため、引越し等で幅の異なる本棚に収納する場合も、適宜分離し、適宜連結して、バインダ保持具４０１を再配置できる。
なお、開放された連結凸部４１４及び連結凹部４１５を覆う部材４１４ａ，４１５ａを備えても良い。
【００７１】
実施の形態４に係るバインダ保持具４０１及び収納棚にあっては、収納棚の寸法に応じてバインダ保持具４０１の寸法を適宜調整することができる。
なお、実施の形態４にあっては、凹凸形状を形成することによって複数のバインダ保持具を連結する例を説明したが、複数のバインダ保持具を連結することが可能な形状、構造又はその組み合わせであれば他の構成であっても良い。
【００７２】
実施の形態４に係るバインダ保持具４０１の他の構成、作用及び効果は実施の形態１に係るバインダ保持具１と同様であるため、対応する箇所には同様の符号を付してその詳細な説明を省略する。
【００７３】
（実施の形態５）
図１２は、本発明の実施の形態５に係るバインダ保持具５０１を模式的に示す斜視図、図１３は、バインダ保持具５０１を模式的に示す縦断側断面図である。実施の形態５に係るバインダ保持具５０１は、実施の形態１と同様の板状部材５１１と、板状部材５１１の底面部５１１ａ側に設けられた粘着シート１２とを備えている。また、板状部材５１１の上面部５１１ｃには、実施の形態１と同様の線状切込部５１３が設けられている。
【００７４】
板状部材５１１の側面部５１１ｂ、特に長手方向に沿う部分には、ラベルシール４を貼着できるように他の部分に比べて滑らかに形成されたシール貼着部５１１ｄが形成されている。シール貼着部５１１ｄには、側面の線状切込部５１３間に収納されるバインダ３を管理するためのラベルシール４が貼着されている。また、ラベルシール４が貼着されるべき部分の上部には、板状部材５１１の長手方向に沿った鍔部５１１ｅが形成されている。
【００７５】
実施の形態５に係るバインダ保持具５０１は、更に、板状部材５１１及び固着部材間に介装された補強板１７を備えている。補強板１７は、板状部材５１１に比べて弾性率が高い樹脂で形成されており、設置面側からみた形状及び寸法は板状部材５１１と同様である。
【００７６】
また、補強板１７には、線状切込部５１３間に埋め込まれた複数のＲＦタグ１６が埋没している。
【００７７】
実施の形態５に係るバインダ保持具５０１及び収納棚にあっては、補強板１７を備えることにより、バインダ保持具５０１の取り扱い性を向上させることができる。
【００７８】
また、板状部材５１１の側面は滑らかに形成されているため、ラベルシール４を貼着することができ、バインダ３の収納管理を容易にすることができる。
【００７９】
更に、バインダ保持具５０１が備えるＲＦタグ１６によって、バインダ３の収納管理を支援することができる。図示しない、ＲＦリーダライタを用いて、バインダ保持具５０１の夫々のＲＦタグ１６の位置に、どのバインダ３を置くかを記録し、読み取ることによって、バインダ３の収納管理を行うことができる。
【００８０】
更にまた、鍔部５１１ｅによってラベルシール４を保護することができる。つまり、バインダ３を収納棚に収納し、又は取り出す際にラベルシール４がバインダ３によって刮ぎ落とされることを防止することができる。
【００８１】
図１４は、変形例に係るバインダ保持具５０１を模式的に示す縦断側断面図である。上述の実施の形態では、一側面にのみシール貼着部５１１ｄ及び鍔部５１１ｅを形成してあるが、線状切込部５１３の長手方向における板状部材５１１の両側面夫々にシール貼着部５１１ｄ及び鍔部５１１ｅを設けるように構成しても良い。更に、線状切込部５１３の深さが長手方向に沿って傾斜するように構成すると良い。
【００８２】
変形例にあっては、斜めの線状切込部５１３によってバインダ３の背見出しの俯仰角度を調整することができ、かつ線状切込部５１３の長手方向両側の側面にシール貼着部５１１ｄが設けられているため、どちらの面を収納棚の前方に向けてもラベルシール４を貼着することができる。
【００８３】
実施の形態５に係るバインダ保持具５０１の他の構成、作用及び効果は実施の形態１に係るバインダ保持具５０１と同様であるため、対応する箇所には同様の符号を付してその詳細な説明を省略する。
【００８４】
なお、今回開示された実施の形態はすべての点で例示であって、制限的なものではない。本発明の範囲は、特許請求の範囲によって示され、特許請求の範囲と均等の意味及び範囲内でのすべての変更が含まれる。
【図面の簡単な説明】
【００８５】
【図１】本発明の実施の形態１に係るバインダ保持具を模式的に示す斜視図である。
【図２】バインダ保持具が固着された収納棚を模式的に示す斜視図である。
【図３】収納棚の使用例を示す正面図である。
【図４】収納棚の使用例を示す横断面図である。
【図５】収納棚の使用例を示す縦断側面図である。
【図６】本発明の実施の形態２に係るバインダ保持具を模式的に示す斜視図である。
【図７】本発明の実施の形態２に係るバインダ保持具の効果を示す説明図である。
【図８】本発明の実施の形態３に係るバインダ保持具を示す側面図である。
【図９】バインダ保持具が固着された収納棚を模式的に示す縦断側断面図である。
【図１０】本発明の実施の形態４に係るバインダ保持具を模式的に示す斜視図である。
【図１１】バインダ保持具の使用方法を示す説明図である。
【図１２】本発明の実施の形態５に係るバインダ保持具を模式的に示す斜視図である。
【図１３】バインダ保持具を模式的に示す縦断側断面図である。
【図１４】変形例に係るバインダ保持具を模式的に示す縦断側断面図である。
【図１５】バインダを本棚に収納する際に生ずる問題点を示す説明図である。
【符号の説明】
【００８６】
１  バインダ保持具
３  バインダ
１１、２１１，３１１，４１１，５１１  板状部材
１２  粘着シート
１３、２１３，３１３，４１３，５１３  線状切込部
１６  ＲＦタグ
１７  補強板
２１  棚板
３１  表紙
４１４  連結凸部（連結部）
４１５  連結凹部（連結部）
【図１】
2009201598.tif 000003
【図２】
2009201598.tif 000004
【図３】
2009201598.tif 000005
【図４】
2009201598.tif 000006
【図５】
2009201598.tif 000007
【図６】
2009201598.tif 000008
【図７】
2009201598.tif 000009
【図８】
2009201598.tif 000010
【図９】
2009201598.tif 000011
【図１０】
2009201598.tif 000012
【図１１】
2009201598.tif 000013
【図１２】
2009201598.tif 000014
【図１３】
2009201598.tif 000015
【図１４】
2009201598.tif 000016
【図１５】
2009201598.tif 000017